(57)【要約】      （修正有）【課題】簡単に取り付けることができる表示装置を提供する。【解決手段】導光板４６の主面側にそれぞれ表示板４８が配置され、光源が固定された光源固定部が導光板４６の上方端面側に配置され、表示板４８の両面側に一対の位置決め部材が配置されることにより、光源ユニットが構成される。この光源ユニットを、本体部３０に挿入し、蓋３６をビス３８で固定するという簡単な工程で、壁面等に固定された本体部３０に容易に光源ユニットを固定することができる。【選択図】図１
0003177284.tif 000002
【実用新案登録請求の範囲】
【請求項１】
光を照射する光源と、
前記光源から照射された前記光を端面から入射し、主面から導光する導光板と、
前記導光板の少なくとも一方の主面側に設けられた表示部材と、
前記導光板の端面側に前記光源を固定する断面が略Ｕ字形状の光源固定部材と、
前記導光板及び前記表示部材の両面側に位置する位置決部材と、
を備えた、
表示装置。
【請求項２】
光を照射する光源と、前記光源から照射された前記光を端面から入射し、主面から導光する導光板と、前記導光板の少なくとも一方の主面側に設けられた表示部材と、前記導光板の端面側に前記光源を固定する断面が略Ｕ字形状の光源固定部材と、前記導光板及び前記表示部材の両面側に位置する位置決部材と、を有する光源ユニットと、
底面に一端から他端側に向かって開放溝を有する筒状部材であって、前記表示部材の少なくとも一部及び前記導光板の少なくとも一部が前記開放溝を通過した状態で前記光源ユニットを挿入可能な本体部材と、
前記光源ユニットが前記本体部材に挿入された状態で、前記光源ユニットが前記本体部材から離脱することを防止する規制部材と、
を備えた、
表示装置。
【請求項３】
前記規制部材は、前記本体部材の一端に設けられた開放口の全面を覆った状態で前記本体部材に固定される、
請求項２に記載の表示装置。
【請求項４】
請求項２又は３に記載の表示装置であって、
前記導光板、前記表示部材及び前記位置決部材を側面側から貫通する貫通部材と、
を備え、
前記光源固定部材は、前記表示部材よりも上方に配置される、
表示装置。
【請求項５】
前記位置決部材は、略Ｕ字形状の断面を有し、両側面の下方部に外側方向へ突出する下方突出部を更に有し、
前記本体部材は、前記下方突出部を下方から支持する支持部を更に有し、
前記支持部の上面と前記下方突出部の下面とが当接することにより、前記光源ユニットが前記支持部に支持される、
請求項２〜４のいずれか１項に記載の表示装置。
【請求項６】
前記位置決部材は、一方側面の下方部から外側方向に突出する第一下方突出部及び他方側面の上方部から前記第一下方突出部と反対方向に突出する第一上方突出部を有する第一位置決部材と、他方側面の下方部から外側方向に突出する第二下方突出部及び一方側面の上方部から前記第二下方突出部と反対方向に突出する第二上方突出部を有する第二位置決部材と、
からなり、
前記第一下方突出部の下面及び前記第二下方突出部の下面と前記支持面の上面とがそれぞれ当接することにより、前記第一位置決部材と前記第二位置決部材とが組み合った状態で前記導光板及び前記表示部材の両面側に位置する、
請求項２〜４のいずれか１項に記載の表示装置。
【請求項７】
前記位置決部材及び前記光源固定部材は、一端側に切り出し部が設けられている、
請求項２〜６のいずれか１項に記載の表示装置。
【請求項８】
前記位置決部材は、前記導光板及び前記表示部の上方端面側に配置される、
請求項２〜７のいずれか１項に記載の表示装置。
【請求項９】
前記開放溝の幅は、前記導光板及び前記表示部材の厚さの和と同一である、
請求項２〜８のいずれか１項に記載の表示装置。
【請求項１０】
前記光源固定部材のＵ字の凹部は、前記導光板の上方端面に嵌め込まれており、
前記光源固定部材のＵ字の壁部は、前記表示部材の上方端面で支持され、
前記表示部材の外側側面及び前記光源固定部材の外側側面は、同一平面を形成する、
請求項２〜９のいずれか１項に記載の表示装置。
【考案の詳細な説明】
【技術分野】
【０００１】
本考案は、表示装置に関する。
【背景技術】
【０００２】
従来、様々な種類の広告装置が知られている。例えば、特許文献１には、外装カバーを額縁フレームの外周面に近づく第１の方向に移動させた後、第１の方向とは異なる第２の方向に移動させることで、係合部により外装カバーと額縁フレームの外周面とが係合した状態とし、この状態で、ネジ（ネジ止め部）により外装カバーの一端側を額縁フレームの外周面に固定することにより、係合部による外装カバーと額縁フレームとの係合状態を維持する広告装置が記載されている。この広告装置では、外装カバーをネジ止め部と係合部との２カ所で額縁フレームに固定することにより、取付工程を増大させること無く、外装カバーを強固に額縁フレームに固定することができる。
【０００３】
しかしながら、広告装置を屋外に設置する場合には、取付工程を増大させること無く強固に固定することも重要であるが、取付工程そのものが容易であることもまた、重要である。
【先行技術文献】
【特許文献】
【０００４】
【特許文献１】実用新案登録第３１７２８２９号公報
【考案の開示】
【考案が解決しようとする課題】
【０００５】
本考案は、このような課題に鑑みなされたものであり、簡単に取り付けることができる表示装置を提供することを主目的とする。
【課題を解決するための手段】
【０００６】
本考案は、上述の主目的を達成するために、以下の手段を採った。
【０００７】
本考案にかかる表示装置は、
光を照射する光源と、
前記光源から照射された前記光を端面から入射し、主面から導光する導光板と、
前記導光板の少なくとも一方の主面側に設けられた表示部材と、
前記導光板の端面側に前記光源を固定する断面が略Ｕ字形状の光源固定部材と、
前記導光板及び前記表示部材の両面側に位置する位置決部材と、
を備えた、
ものである。
【０００８】
この表示装置では、導光板の上方端面側に光源固定部材によって光源が固定され、導光板の少なくとも一方の主面側に表示部材が配置され、表示部材の両面側に位置決部材が位置している。 こうすることにより、光源固定部材によって固定された光源から照射された光が導光板の端面側から導光板に入射し、導光板で拡散された表示部材に照射される。こうすることにより、表示部材に十分な光を照射することができる。
【０００９】
また、本考案の表示装置は、
光を照射する光源と、前記光源から照射された前記光を端面から入射し、主面から導光する導光板と、前記導光板の少なくとも一方の主面側に設けられた表示部材と、前記導光板の端面側に前記光源を固定する断面が略Ｕ字形状の光源固定部材と、前記導光板及び前記表示部材の両面側に位置する位置決部材と、を有する光源ユニットと、
底面に一端から他端側に向かって開放溝を有する筒状部材であって、前記表示部材の少なくとも一部及び前記導光板の少なくとも一部が前記開放溝を通過した状態で前記光源ユニットを挿入可能な本体部材と、
前記光源ユニットが前記本体部材に挿入された状態で、前記光源ユニットが前記本体部材から離脱することを防止する規制部材と、
を備えたものであってもよい。
【００１０】
この表示装置では、導光板の上方端面側に光源固定部材によって光源が固定され、導光板の少なくとも一方の主面側に表示部材が配置され、表示部材の両面側に位置決部材が位置することで、光源ユニットが構成される。この光源ユニットを、側面に一端から他端側に向かって開放溝を有する本体部材に、表示部材の表面を開放溝に沿って挿入し、規制部材によって光源ユニットが本体部材から離脱することを防止する。こうすることにより、光源ユニットを本体部材に容易に保持することができるため、容易に表示装置を取り付けることができる。
【００１１】
本考案の表示装置において、前記規制部材は、前記本体部材の一端に設けられた開放口の全面を覆った状態で前記本体部材に固定される、ものであってもよい。こうすることにより、規制部材を本体部材に固定するという簡単な操作で、光源ユニットが本体部材から離脱する可能性を未然に低減することができる。
【００１２】
本考案の表示装置は、前記導光板、前記表示部材及び前記位置決部材を側面側から貫通する貫通部材と、を備え、前記光源固定部材は、前記表示部材よりも上方に配置されるものであってもよい。こうすれば、光源ユニットを構成する際、導光板、表示部材及び位置決部材に側面側から貫通部材を貫通させるという簡単な操作で、光源ユニットを形成することができる。
【００１３】
本考案の表示装置において、前記位置決部材は、略Ｕ字形状の断面を有し、両側面の下方部に外側方向へ突出する下方突出部を更に有し、前記本体部材は、前記下方突出部を下方から支持する支持部を更に有し、前記支持部の上面と前記下方突出部の下面とが当接することにより、前記光源ユニットが前記支持部に支持されてもよい。こうすれば、支持面の上面で下方突出部の下面を保持することができるため、容易に光源ユニットを取り付けることができる。
【００１４】
本考案の表示装置において、前記位置決部材は、一方側面の下方部から外側方向に突出する第一下方突出部及び他方側面の上方部から前記第一下方突出部と反対方向に突出する第一上方突出部を有する第一位置決部材と、他方側面の下方部から外側方向に突出する第二下方突出部及び一方側面の上方部から前記第二下方突出部と反対方向に突出する第二上方突出部を有する第二位置決部材と、からなり、前記第一下方突出部の下面及び前記第二下方突出部の下面と前記支持面の上面とが当接することにより、前記光源ユニットが前記保持面に保持されてもよい。この場合も、支持面の上面で下方突出部及び第二下方突出部の下面を保持することができるため、容易に光源ユニットを取り付けることができる。
【００１５】
本考案の表示装置において、前記位置決部材及び前記光源固定部材は、一端側に切り出し部が設けられていてもよい。こうすれば、光源ユニットを本体部に取り付けた際、切り出し部によって配線等を配置する空間が確保されることになるため、切り出し部を有しない場合と比較して、配線等を配置する労力をより低減することができる。
【００１６】
本考案の表示装置において、前記位置決部材は、前記導光板及び前記表示部の上方端面側に配置されてもよい。こうすれば、表示部の広い範囲を外部に露出することができる。
【００１７】
本考案の表示装置において、前記開放溝の幅は、前記導光板及び前記表示部材の厚さの和と同一であってもよい。こうすれば、開放溝の端部に沿って表示部材及び導光板を挿入することで、容易に光源ユニットを保持部材で保持することができる。
【００１８】
本考案の表示装置において、前記光源固定部材のＵ字の凹部は、前記導光板の上方端面に嵌め込まれており、前記光源固定部材のＵ字の壁部は、前記表示部材の上方端面に支持され、前記表示部材の外側側面及び前記光源固定部材の外側側面は、同一平面を形成してもよい。こうすれば、導光板及び表示部材の上方端面側に光源固定部材を配置するという簡単な操作で、光源固定部材に取り付けられた光源を導光板の端面近傍に容易に配置することができる。
【図面の簡単な説明】
【００１９】
【図１】表示装置２０の構成の概略を示す斜視図である。
【図２】本体部３０の構成の概略を示す斜視図である。
【図３】光源ユニット４０の構成の概略を示す斜視図である。
【図４】表示装置２０のＡ−Ａ断面を示す断面図である。
【図５】光源ユニット４０の構成の概略を示す分解斜視図である。
【図６】表示装置２０の構成の概略を示す分解斜視図である。
【図７】他の実施の形態の光源ユニット１４０の構成の概略を示す斜視図である。
【図８】表示装置２０の他の取り付け方法の一例を示す斜視図である。
【考案を実施するための形態】
【００２０】
ここで、上記簡単に説明した図面に基づいて、本考案を実施するための形態を説明するにあたり、本実施の形態の構成要素と本考案の構成要素との対応関係を明らかにする。本実施の形態の表示装置２０が本考案の表示装置に相当し、光源ユニット４０及び光源ユニット１４０が光源ユニットに相当し、光源４２が光源に相当し、導光板４６が導光板に相当し、表示板４８が表示部材に相当し、光源固定部４４が光源固定部材に相当し、位置決め部材８０及び位置決め部材１５０が位置決部材に相当し、第一位置決め部材５０ａが第一位置決部材に相当し、第二位置決め部材５０ｂが第二位置決部材に相当し、第一上方突出部５４ａが第一上方突出部に相当し、第二上方突出部５４ｂが第二上方突出部に相当し、第一下方突出部５６ａが第一下方突出部に相当し、第二下方突出部５６ｂが第二下方突出部に相当し、第一下方突出部５６ａ及び第二下方突出部５６ｂが下方突出部に相当し、切り出し部５８が切り出し部に相当し、本体部３０が保持部材に相当し、開放溝３２が開放溝に相当し、支持部３４の上面が支持面に相当し、蓋３６が規制部材に相当し、開口３５が開放口に相当し、ボルト４９が貫通部材に相当する。なお、表示装置２０の組み立て方法を説明することにより、本考案の表示装置２０の製造方法の一例も明らかにしている。
【００２１】
次に、図１〜図４を用いて、本考案の実施の形態の一例である表示装置２０の構成を詳しく説明する。表示装置２０は、図１に示すように、下方側に導光板４６及び表示部４８が露出した光源ユニット４０（図３参照）が本体部３０に保持されてなり、取り付け金具６０を介して壁面に取り付けて使用される。このとき、取り付け金具６０の中央には配線孔６２が設けられているため、壁面に取り付けた際に、この配線孔６２を通して本体部３０内に図示しない配線を通し、光源ユニット４０に電力を供給することができる。
【００２２】
本体部３０は、図２に示すように、両端側が開放された開口３５を有する外形が直方体形状の部材であり、下面側に開放溝３２を有している。開口３５は、４つの止め部材３５ａを有しており、一方端側に設けられた止め部材３５ａには取り付け金具６０が、他方端側に設けられた止め部材３５ａには蓋３６が、それぞれ固定される。このように開口３５の他方端側を蓋３６で塞ぐことにより、本体部３０に挿入された光源ユニット４０が他方端側に設けられた開口３５から脱落することを防ぐことができる。また、開放溝３２の両側には、それぞれ右方支持部３４ａ及び左方支持部３４ｂ（以下、「支持部３４」とも言う。）を有している。
【００２３】
光源ユニット４０は、図３に示すように、複数の白色発光ダイオード４１（以下、「ＬＥＤ４１」という。）を有する光源４２（図４参照）と、光源４２を固定する光源固定部４４と、光源４２から照射された光を導出する導光板４６と、導光板４６から導出された光で表示情報を表示する表示板４８と、光源固定部４４、導光板４６及び表示板４８を挟み込む一対の第一位置決め部材５０ａ及び第二位置決め部材５０ｂ（以下、「位置決め部材５０」とも言う。）と、を有し、導光板４６、表示板４８及び一対の位置決め部材５０を貫通するボルト４９により、一体に固定される。
【００２４】
光源４２は、基板の上に複数のＬＥＤ４１が直線状に配置されている。この光源４２は、図５に示すように、光源固定部４４によって、導光板４６の上方端面の対向する位置に固定されている。このため、ＬＥＤ４１が発光すると、導光板４６の上方端面に光が照射され、導光板４６の中に光が導光されることになる。
【００２５】
光源固定部４４は、図３及び図４に示すように、光源ユニット４０に配置される長柄形状の金属製の部材である。この光源固定部４４は、中央に溝状の凹部４４ａを有する略Ｕ字形状の断面を有し、凹部４４ａの底面には、図示しない両面テープによって光源４２が貼着されている。また、凹部４４ａの幅は導光板４６の厚さと同一であり、壁部４４ｂの幅は表示板４８の厚さと同一である。このため、導光板４６を凹部４４ａに嵌め込むと、導光板４６の上方端面に対向する位置に光源４２が位置することになると共に、導光板４６が凹部４４ａに隙間無く嵌め込まれることになる。また、壁部４４ｂの幅と表示板４８の厚さとが同一であるため、表示板４８の外側面と両壁部４４ｂの外面とが同一平面となる。こうすることにより、光源固定部４４の外面と表示板４８の外側面とで段差が生じる可能性を未然に低減することができる。このため、光源固定部４４の外面及び表示板４８の外面に沿って、位置決め部材５０を配置しやすい。
【００２６】
この光源固定部４４の端部は、図３に示すように、一方側面側が延出した切り出し部５８が設けられており、本体部３０に挿入した際、切り出し部５８によって導光板４６の端部と開口３５に取り付けられた取り付け金具６０との間に空間が生じる。この空間に、図示しない電源ケーブルを配置することができるため、本体部３０に光源ユニット４０を挿入するという簡単な操作で電源ケーブル等の配線用の空間を確保しつつ、表示装置２０を組み立てることができる。
【００２７】
導光板４６は、図３に示すように、厚さが約４ミリメートルから約８ミリメートルの透過性を有するメタクリル樹脂製の板であり、上方端面から入射した光を拡散する複数の拡散ドット４７が両側主面に設けられている。この拡散ドット４７は、略四角錐形状に凹む凹部であり、四角錐の底面に相当する面が表面側に位置するように導光板４６の主面４２側全体に複数設けられている。この四角錐の各辺の長さは、０．６ミリメートル〜１．５ミリメートルに設けられ、深さは０．４ミリメートル〜０．８ミリメートルに設けられている。また、隣り合う拡散ドット４７間のピッチは、約１．５ミリメートル〜約８．０ミリメートルのピッチに設けられている。なお、図３及び図４中において、拡散ドット４７の大きさは、作図の都合上実際よりも大きく、且つ、少なく描いており、実際には、より小さな拡散ドット４７がより多く形成されることになる。また、図５においては、拡散ドット４７の記載は、省略した。
【００２８】
表示板４８は、図３に示すように、略直方体形状をした乳白色半透明の樹脂製の板であり、表面に図示しない表示情報（例えば、文字や図形等）が印刷されている。このため、導光板４６の主面から照射された光が表示板４８を透過することにより、表示情報を表示することができる。また、表示板４８は、乳白色半透明であるため、視認した際に、導光板４６の表面に設けられた拡散ドット４７が視認され難く、表示板４８の全体が光っているように見える。このため、表示板４８の全面に表示情報を有している場合も、表示情報の全体を光らせることができる。
【００２９】
第一位置決め部材５０ａは、図４に示すように、中央部５２ａの一方側面の上部に一方側に突出する第一上方突出部５４ａが設けられ、中央部５２ａの他方側面の下部に他方側に突出する第一下方突出部５６ａが設けられている。このとき、第一上方突出部５４ａ及び第一下方突出部５６ａは、中央部５２ａにそれぞれ略直角に設けられている。
【００３０】
第二位置決め部材５０ｂは、図４に示すように、中央部５２ｂの一方側面の下部に一方側に突出する第二下方突出部５６ｂが設けられ、中央部５２ｂの他方側面の上部に他方側に突出する第二上方突出部５４ｂがそれぞれ略直角に設けられている。また、中央部５２ｂの長さは、中央部５２ａの厚さ分だけ短く形成されているため、導光板４６の主面の両側から第一位置決め部材５０ａ及び第二位置決め部材５０ｂが組み合わせて配置することができる。具体的には、第一上方突出部５４ａの下面と第二上方突出部５４ｂの上面とが当接した状態で表示板４８両側に配置すると、第二突出部５６ａの下面と第二下方突出部５６ｂの下面とが同一平面上に位置する。このため、この第一位置決め部材５０ａ及び第二位置決め部材５０ｂを表示板４８の両側から配置することにより、光源固定部４４、導光板４６及び表示板４８を固定することができる。
【００３１】
次に、光源ユニット４０を組み立てる方法について、図５を用いて、更に詳しく説明する。ここで、図５は、光源ユニット４０の構成の概略を示す分解斜視図である。光源ユニット４０を組み立てる際には、まず、導光板４６の主面の両側に、２枚の表示板４８をそれぞれ当接した状態で配置する。このとき、導光板４６の上方端面は表示板４８の上方端面よりも高い位置となるように配置し（図４参照）、他の端面（下方端面及び側方端面）は、導光板４６と同じ位置となるように配置する。具体的には、導光板４６の上方端面よりも、表示板４８の上方端面が低くなる位置に配置する。このような位置に導光板４６及び表示板４８を配置すると、導光板４６及び表示板４８に設けられた貫通孔はそれぞれ連通する。
【００３２】
続いて、凹部４４ａに光源４２が貼着された光源固定部４４を、凹部４４ａが下方向に開放する向きとなるように導光板４６の上方に配置する（図４参照）。このとき、両壁部４４ｂの頂面は、表示板４８の上方端面とそれぞれ当接する位置に配置する。凹部４４ａの幅は導光板４６の厚さと同一であり、両壁部４４ｂの厚さはそれぞれ表示板４８の厚さと同一であることから、光源固定部４４の外壁面とそれぞれの表示板４８の外側面とは、同一平面を形成することになる。この状態で、第一位置決め部材５０ａ及び第二位置決め部材５０ｂの中央部５２ａ及び５２ｂの表面を表示板４８の外側面にそれぞれ当接すると、中央部５２ａ及び５２ｂの表面は光源固定部４４の外壁面とも当接することになる。こうすることにより、表示板４８及び光源固定部４４の外側面に沿って、容易に位置決め部材５０を配置することができる。
【００３３】
最後に、中央部５２ａ及び５２ｂに設けられた貫通孔５３にボルト４９を挿入する。貫通孔５３は、導光板４６及び表示板４８に設けられた貫通孔と連通する位置に配置されているため、貫通孔５３にボルト４９を挿入することにより、貫通孔５３にボルト４９を挿入するという簡単な操作で、光源固定部４４、導光板４６及び表示板４８を固定することができる。こうすることにより、光源ユニット４０を容易に組み立てることができる。
【００３４】
次に、このようにして組み立てられた光源ユニット４０を本体部３０に組み立てる方法について、図６を用いて、詳しく説明する。ここで、図６は、表示装置２０の構成の概略を示す分解斜視図である。
【００３５】
表示装置２０を組み立てる際には、予め本体部３０の一端側の開口３５に取り付け金具６０をビス３８で螺合した後に、取り付け金具６０を壁面に固定する。このように予め本体部３０を壁面に取り付けることにより、表示装置２０を組み立てた後に壁面に取り付ける場合と比較して、より容易に取り付けることができる。
【００３６】
次に、あらかじめ壁面に固定された本体部３０の他端側から、光源ユニット４０を挿入する。光源ユニット４０が本体部３０に挿入される際には、本体部３０の下面に設けられた開放溝３２に光源ユニット４０の導光板４６及び表示板４８が嵌まり込み、開放溝３２の両側に位置する支持部３４の上面に第一下方突出部５６ａ及び第二下方突出部５６ｂの下面が当接する。こうすることにより、開放溝３２に沿って導光板４６及び表示板４８を挿入することにより、容易に取り付けることができる。
【００３７】
本体部３０を光源ユニット４０に挿入した後には、光源ユニット４０を挿入した他方端側の開口３５を蓋３６で塞ぎ、止め部材３５ａに蓋３６をそれぞれ固定する。こうすることにより、光源ユニット４０が本体部３０から離脱する可能性を未然に低減することができる。
【００３８】
以上詳述した表示装置２０によれば、導光板４６の主面側にそれぞれ表示板４８が配置され、光源４２が固定された光源固定部４４が導光板４６の上方端面側に配置され、表示板４８の両面側に一対の位置決め部材５０が配置されることにより、光源ユニット４０が構成される。この光源ユニット４０を、本体部３０に挿入するという簡単な工程で、壁面等に固定された本体部３０に容易に光源ユニット４０を固定することができる。言い換えると、表示装置２０を壁面等に容易に固定することができる。
【００３９】
また、表示装置２０は、光源ユニット４０を挿入した端部を覆うことのできる大きさの蓋３６を有しているため、本体部３０に蓋３６をビス３８で固定するという簡単な工程で、光源ユニット４０が離脱する可能性を未然に低減することができる。言い換えると、表示装置２０を壁面に容易に固定することができる。
【００４０】
更に、光源ユニット４０は、ボルト４９によって導光板４６、表示板４８及び位置決め部材５０が一体に固定されるため、位置決め部材５０に設けられた貫通孔５３にボルト４９を貫通させるという簡単な操作で、光源ユニット４０を組み立てることができる。
【００４１】
更にまた、光源固定部４４の上面側は第二上方突出部５４ｂが、光源固定部４４の側面側は中央部５２がそれぞれ当接しているため、位置決め部材５０を表示板４８の外面側に配置するという簡単な操作で、光源固定部４４を固定することができる。
【００４２】
そして、光源ユニット４０が本体部３０に挿入された際には、第一下方突出部５６ａ及び第二下方突出部５６ｂの下面側が支持部３４の上面で支持されるため、面と面とで光源ユニット４０が支えられることになり、安定性に優れる。
【００４３】
そしてまた、位置決め部材５０は導光板４６の上面側に取り付けられているため、導光板４６を広く露出することができる。言い換えると、表示板４８を広く照らすことができ、広い面積に表示情報を表示することができる。
【００４４】
そして更に、光源ユニット４０を本体部３０に挿入する際、開放溝３２に沿って導光板４６及び表示板４８を挿入することで、容易に光源ユニット４０を本体部３０に取り付けることができる。
【００４５】
そして更にまた、光源固定部４４の凹部４４ａが導光板４６の上方端面に嵌め込まれた状態で、両壁部４４ｂが表示板４８の上方端面によって支持され、両壁部４４ｂの外壁面と表示板４８の外側側面とが同一平面となる位置に配置されるため、位置決め部材５０を容易に表示板４８及び光源固定部４４の外側面に沿って配置することができる。
【００４６】
なお、本考案は上述した実施形態に何ら限定されることはなく、本考案の技術的範囲に属する限り種々の態様で実施し得ることはいうまでもない。
【００４７】
例えば、光源ユニット４０のみを表示装置として用いても良い。このような場合には、例えば、第一位置決め部材５０ａや第二位置決め部材５０ｂを直接設置場所に固定することにより、表示装置として使用することができる。
【００４８】
上述した実施の形態では、第一位置決め部材５０ａ及び第二位置決め部材５０ｂを導光板４６の両面側から配置された光源ユニット４０を用いるものとしたが、図７に示すように、断面が略Ｕ字形状の位置決め部材１５０を有する光源ユニット１４０を用いてもよい。こうすれば、第一位置決め部材５０ａと第二位置決め部材５０ｂを組み合わせる必要が無いため、より容易に組み立てることができる。なお、ここで図７は、他の実施の形態の光源ユニット１４０の構成の概略を示す斜視図であり、光源ユニット４０と同一の部材については、同一の符号を付して、ここでは説明を省略する。
【００４９】
上述した実施の形態では、取り付け金具６０を用いて壁面に本体部３０を取り付けるものとしたが、図８（Ａ）に示すように、Ｌ字型の取り付け金具１６０を用いて天井や庇等の面の下方に取り付けてもよいし、図８（Ｂ）に示すように、導光板４６の主面と略平行な壁面に取り付けてもよい。このような場合も、上述した実施の形態と同様の効果が得られる。なお、ここで図８は、表示装置２０の他の取り付け方法の二例を示す斜視図である。
【００５０】
この態様を採用した場合において、蓋３６に代えて取り付け金具１６０を用いることで、本体部３０の両側を天井や庇等の面の下方や壁面等に取り付けてもよい。こうすれば、本体部３０の両端側で取り付けられることになるため、本体部３０の一方側に設けられた取り付け金具１６０を用いて取り付ける場合と比較して、より強固にとりつけることができる。
【００５１】
上述した実施の形態では、導光板４６は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００５２】
上述した実施の形態では、導光板４６の両主面に複数の拡散ドット４７を備えるものとしたが、一方主面にのみ拡散ドット４７を備えていてもよい。この場合も、上述した実施の形態と同様の効果が得られる。
【００５３】
上述した実施の形態では、導光板４６の表面に略四角錐形状の拡散ドット４７を複数有するものとしたが、略四角錐形状に限定されるものではなく、略三角錐形状や角柱形状、半球形状等の種々の形状であってもよい。また、レーザー加工機やプロッターを用いて表面を加工してもよいし、スクリーン印刷やシルク印刷等によって凸状に加工してもよいし、あらかじめ凹凸が刻まれた金型を用いて射出成形で形成してもよい。いずれの場合であっても、上述した実施の形態と同様の効果が得られる。
【産業上の利用可能性】
【００５４】
上述した実施の形態で示すように、表示分野、特に、壁面に設置される壁看板として利用することができる。
【符号の説明】
【００５５】
２０...表示装置、３０...本体部、３２...開放溝、３４...支持部、
３４ａ...右方支持部、３４ｂ...左方支持面、３５...開口、３５ａ...止め部材、
３６...蓋、３８...ビス、４０、１４０...光源ユニット、４１...ＬＥＤ、
４２...光源、４４...光源固定部、４４ａ...凹部、４４ｂ...壁部、４６...導光板、
４７...拡散ドット、４８...表示板、４９...ボルト、５０...位置決め部材、
５０ａ...第一位置決め部材、５０ｂ...第二位置決め部材、１５０...位置決め部材、
５２ｂ...中央部、５３...貫通孔、５４ａ...第一上方突出部、
５４ｂ...第二上方突出部、５６ａ...第一下方突出部、５６ｂ...第二下方突出部、
５８...切り出し部、６０、１６０...取り付け金具、６２...配線孔。
【図１】
0003177284.tif 000003
【図２】
0003177284.tif 000004
【図３】
0003177284.tif 000005
【図４】
0003177284.tif 000006
【図５】
0003177284.tif 000007
【図６】
0003177284.tif 000008
【図７】
0003177284.tif 000009
【図８】
0003177284.tif 000010